(57)【要約】【課題】１つの枕でより多くの高さや硬さを選択できる。【解決手段】枕１は、表面１ａ側に配列された３つの袋部３，４，５と裏面側に配列された３つの袋部７，８，９とを互いに向い合せて形成した。表面側と裏面側の各袋部は両側に最も大型の袋部３、７と最も小型の袋部４，８と中型の袋部５、９とを配列して形成した。使用時に、これら袋部３，７，５，９のいずれかに頸椎を載せると後頭部が小型の袋部４，８に着座して安眠できる。表面側の袋部には比較的硬さの小さいパイプを充填し、裏面側の袋部には比較的硬さの大きい粒綿を充填した。表面１ａと裏面１ｂの一方に反転可能なカバー１４を両端で固定し、反転させることで一方の面から他方の面を覆うようにした。カバー１４の内側に冷却剤やパッド等を収納可能とした。【選択図】図２
2018011722.tif 000002
【特許請求の範囲】
【請求項１】
表面側に配列された３つまたはそれ以上の袋部と裏面側に配列された３つまたはそれ以上の袋部とが互いに向い合せて形成されており、
表面側と裏面側の前記袋部はそれぞれ高さが相違すると共に中央の袋部が両側の袋部より低い高さに形成されていることを特徴とする枕。
【請求項２】
表面側の前記各袋部の硬さは裏面側の前記各袋部の硬さより小さい請求項１に記載された枕。
【請求項３】
前記表面側と裏面側の一方の面を覆うカバーが取り付けられており、該カバーは前記一方の面から他方の面を覆うように反転可能とした請求項１または２に記載された枕。
【発明の詳細な説明】
【技術分野】
【０００１】
本発明は、高さや硬さ等を選択できる多機能型の枕に関する。
【背景技術】
【０００２】
従来、１つの枕で高さや硬さを選択できるものとして例えば特許文献１に記載されたものが知られている。
この枕は太さと硬さが異なっていて同等長さの３つの略円筒状の袋を配列させ、その表面を中シートで包み込んで一体化している。３つの袋は太さがそれぞれ相違している。最大太さの袋には樹脂製で弾力性のあるビーズが充填され、中間太さの袋にはポリエステル綿が充填され、最小太さの袋は羽毛が充填されている。
【０００３】
一列に配列された３つの袋と中シートの裏面とは面ファスナーで固定され、更にファスナー付きのピロケース内に収納して枕として使用可能としている。そして、複数の袋の配列や本数を変えることで人の身長方向における枕各部の高さと硬さが変化し、調節できるとしている。
【先行技術文献】
【特許文献】
【０００４】
【特許文献１】特開平７−３１５３３号公報
【発明の概要】
【発明が解決しようとする課題】
【０００５】
しかしながら、上述した特許文献１に記載の枕では、枕の高さと硬さを変化させる場合に３つの袋だけでは選択肢が２種に限られ、しかもピロケースで覆っているために目視で硬さや高さの違いを認識できなかった。また、枕の高さと硬さを変えるために袋内に充填する素材を変えることはコスト高になる欠点があった。
しかも、身長方向における枕各部の高さと硬さを調節するために袋部を追加すると袋部の配列本数が長くなるので枕が大きくなり使い勝手が悪くなるという欠点があった。
【０００６】
本発明は、このような課題に鑑みて、１つの枕でより多くの高さや硬さを選択できるようにした枕を提供することを目的とする。
【課題を解決するための手段】
【０００７】
本発明による枕は、表面側に配列された３つまたはそれ以上の袋部と裏面側に配列された３つまたはそれ以上の袋部とが互いに向い合せて形成されており、表面側と裏面側の各袋部は互いに高さが相違すると共に中央の袋部が両側の袋部より低い高さに形成されていることを特徴とする。
本発明によれば、表面側と裏面側とで最も高さの高い袋部と中間の高さの袋部のいずれかに選択的に使用者が頭部の頸椎をおけば中央の最も高さの小さい１または２以上の袋部に後頭部が着座するため頭部の座りが良くて安眠でき、１つの枕の表面側と裏面側とで少なくとも４種類の高さや硬さのいずれかを選択して使用できる。
また、中央の最も高さの小さい１または２以上の袋部で枕を略コの字状に折り曲げれば横向きで寝た際の肩部の圧迫を低減できるため、５種類の高さや硬さのいずれかを選択して使用できる。
【０００８】
また、表面側の各袋部の硬さは裏面側の各袋部の硬さより小さい構成にしてもよい。
これにより枕の高さだけでなく硬さも表裏面で異なるいずれかを選択して使用できる。
【０００９】
また、表面と裏面の一方の面を覆うカバーが取り付けられており、該カバーは一方の面から他方の面を覆うように反転可能としてもよい。
枕の表裏面の一方の面にカバーを取り付けたことで、カバーと袋部との間に頭部の熱を冷やす冷却剤や枕の高さを無段階で調整するためのパッドや布シート等を挿入することができる。しかも、カバーは枕の表面と裏面とを選択的に覆うことができるようにしたため、構成が単純で使い勝手がよいという利点がある。
【発明の効果】
【００１０】
本発明による枕によれば、表面側と裏面側の各３つ以上の袋部は互いに高さが相違すると共に中央の袋部がその両側の袋部より小さいため、表面側と裏面側とで最も高い袋部と中間の高さの袋部のいずれかに頭部の頸椎をおけば中央の最も高さの小さい１または２以上の袋部に後頭部が着座するため頭部の座りがよく、１つの枕の表面側と裏面側とで少なくとも４種類の高さや硬さのいずれかを選択して使用できる。また、枕の中央の最も高さの小さい袋部で折り曲げれば横向きで寝た際の肩部の圧迫を低減できるため、５種類の高さや硬さのいずれかで使用できる。
【図面の簡単な説明】
【００１１】
【図１】本発明の実施形態による枕を表面側から見た斜視図である。
【図２】図１に示す枕の端面図である。
【図３】図１に示す枕を裏面側から見た斜視図である。
【図４】実施形態による枕を折り曲げた状態の端面図である。
【図５】枕の表面側の各袋部に充填したパイプを示す拡大図である。
【図６】枕の裏面側の各袋部に充填した粒綿を示す拡大図である。
【図７】枕の袋部とカバーとの間に高さ調整用マットを収納する状態を示す斜視図である。
【発明を実施するための形態】
【００１２】
以下、添付図面を参照して、本発明の実施形態による枕について説明する。
図１乃至図３に示すように、本実施形態による枕１は、中央に仕切り用シート２が形成され、その一方の面である表面側に例えば断面略半円状をなす筒状の３つの袋部３、４，５が一体に取り付けられて配列されている。また、他方の面である裏面側も例えば断面略半円状をなす筒状の３つの袋部７、８，９が一体に取り付けられて配列されている。表面側の袋部３，４，５と裏面側の袋部７，８，９はそれぞれ同一長さを有している。
ここで、袋部３，４，５を配列させた面を表面１ａとし、袋部７，８，９を配列させた面を裏面１ｂとする。しかし、本実施形態による枕１において、表面１ａと裏面１ｂは対向する二面を区別するための便宜的な名称にすぎず、格別な意味を有しない。
【００１３】
図２に示す表面１ａ側の袋部３，４，５において、中央の袋部４の断面積が最も小さく、その両側に最大の断面積の袋部３と中間の断面積の袋部５が配列されている。裏面１ｂ側の袋部７，８，９においても、中央の袋部８の断面積が最も小さく、その両側に最大の断面積の袋部７と中間の断面積の袋部９が配列されている。しかも、表裏面１ａ、１ｂで、仕切り用シート２を挟んで最大の断面積の袋部３、７、最小の断面積の袋部４、８、中間の断面積の袋部５、９がそれぞれ対向して配設されている。
なお、本実施形態による枕１の表面１ａと裏面１ｂにおいて、便宜的に、一方の端部の袋部３，７が最も高さが高く、大型の袋部３，７という。中央の袋部４、８が最も高さが低く、小型の袋部４，８という。他方の端部の袋部５，９がその中間の高さで、中型の袋部５、９というものとする。また、表面１ａ側と裏面１ｂ側とで大型の袋部３，７と中型の袋部５，９と小型の袋部４、８同士は例えば対向する位置に設置したが、対向する袋部同士は互いに同一の高さでも異なる高さを有していてもよい。
【００１４】
しかも、表面１ａ側の袋部３，４，５は、内部に例えば図５に示すポリエステル製等の樹脂製の中空のパイプ１１がそれぞれ充填されており、その断面積の大きさに応じて充填するパイプ１１の量がそれぞれ相違する。パイプ１１は樹脂等の材質やその大きさや肉厚等によって袋部３，４，５の硬さを調整することができる。しかも、表面１ａと裏面１ｂを色違いの布で覆う構成を採用すれば、表裏面の硬さの違いを一目で目視確認できる。
また、裏面１ｂ側の袋部７，８，９は、内部に例えば図６に示すポリエステル製等の粒綿１２がそれぞれ充填されており、その断面積の大きさに応じて充填する粒綿１２の量がそれぞれ相違する。
また、本実施形態では、パイプ１１よりも粒綿１２の方が充填率が高いため、表面１ａ側の袋部３，４，５は裏面１ｂ側の袋部７，８，９よりも硬さが小さく設定されている。
【００１５】
また、図１及び図３において、枕１の裏面１ｂには袋部７，８，９を覆う布製等からなるシート状のカバー１４が設置されている。カバー１４は枕１の各袋部３，４，５及び袋部７，８，９の長手方向両端部１５ａ、１５ｂにのみ糸等で縫い込まれて固定されている。しかも、カバー１４と袋部３，４，５及び袋部７，８，９は弾力性と伸縮性を有するため、カバー１４を裏面１ｂから表面１ａに折り返すことが可能であり、その場合にはカバー１４は表面１ａの袋部３，４，５を覆うことになる。
カバー１４と袋部７，８，９との間、またはカバー１４と袋部４，５，６との間には頭部の熱冷まし等のための冷却剤や、図７に示すように枕１の高さや柔らかさ等を調整するためのパッド１６やタオル等の布シートを挿入可能とされている。
【００１６】
本実施形態による枕１は上述した構成を備えており、次にその使用方法について説明する。
就寝に際して使用者が枕１の比較的柔らかい表面１ａ側を使用する場合、例えば図２に示すように中型の袋部５に頭部を載せて寝るには、中型の袋部５に頭部の頸椎を載せて後頭部の突出部を小型の袋部４に着座させることで好適な高さに頭部を載せて休むことができる。また、もう少し枕１を高くしたい場合には、大型の袋部３に頭部の頸椎を載せて後頭部の突出部を小型の袋部４に着座させることで好適な高さに頭部を載せることができる。
【００１７】
同様に、枕１の比較的硬い裏面１ｂ側を使用する場合、中型の袋部９に頸椎を載せて後頭部の突出部を小型の袋部４に着座させて休むことができる。また、もう少し枕１を高くしたい場合には、最大断面積の袋部７に頸椎を載せて後頭部の突出部を小型の袋部４に載せることで好適な高さに頭部を載せることができる。
このように、本実施形態による枕１は、表面１ａまたは裏面１ｂを選択することで硬さを選択でき、しかも、頭部の頸椎を載せる位置を中型の袋部５，９を選択するか大型の袋部３、７を選択することで、４通りの高さと硬さの組み合わせを選択できる。
【００１８】
また、使用者が横向きに寝る場合には、例えば図４に示すように、粒綿１２を収納した裏面１ｂにおける小型の袋部８を境にして大型の袋部９と中型の袋部７を楽コの字に折り曲げる。これにより、表面１ａ側のパイプ１１を収納した大型の袋部５または中型の袋部３を上面にして頭部を横向きに載せることができる。この場合、肩部を立てることになっても枕１の高さが高いので肩部を圧迫しない。
枕１を折り曲げる場合、表面１ａ側に代えて裏面１ｂ側を上面にして横向きに寝ることも可能であるが、裏面１ｂ側の各袋部７，８，９に充填した粒綿１２は反発力が強いので枕１が広がり易く安定感が小さいことがある。この場合でも、袋部７，８，９に充填する粒綿１２の量を削減すれば折り曲げた際の安定性を確保できる。そのため、５通りの高さと硬さの組み合わせを選択できる。
【００１９】
なお、枕１を折り曲げないで頭部を載せる場合でも、図７に示すように、カバー１４と枕１の裏面１ｂの袋部７，８，９との間にシート状のパッド１６やタオル等を収納すれば、頭部を載せる高さを高く調整することができる。カバー１４を裏面１ｂ側から表面１ａ側に反転させれば表面１ａの袋部３，４，５との間にパッド１６やタオル等を収納できる。
また、風邪を引いた時等には、保冷剤や氷を入れた氷袋等の氷嚢をカバー１４と枕１の表面１ａまたは裏面１ｂの袋部の間に収納することができる。この場合には、保冷剤や氷嚢がカバー１４の内面に納まるので、使用者が寝ている間にずれたりすることを防止できる。
【００２０】
上述のように本実施形態による枕１によれば、表面１ａ側と裏面１ｂ側の各３つの袋部３，４，５と袋部７，８，９は、折り曲げた場合を含めて高さと硬さを違えた５通りの枕１の使い方を選択できる。
しかも、枕１の通常使用に際し、大型の袋部３，７と中型の袋部５，９のいずれかに頭部の頸椎をおけば中央の小型の袋部４，８に後頭部が納まるため頭部の座りがよく安眠できる。
更に、枕１は表面１ａと裏面１ｂのいずれかに選択的に折り返し可能なカバー１４を設けたため、カバー１４と袋部３，４，５または袋部７，８，９との間に高さ調整のためのパッド１６やタオル等の布シートを収納できるため、更に高さ調整できる。また、氷嚢等の冷却剤等をカバー１４と袋部との間に収納すれば、就寝時に冷却剤等のズレを防いで安定的に保持して冷却できる。
【００２１】
なお、本発明による枕１は、上述した実施形態に限定されるものではなく、本発明の要旨を逸脱しない範囲で様々な置換や変形等を適用することができる。以下に本発明の変形例について説明するが、上述した実施形態と同一または同様な部分や部材には同一の符号を用いて説明する。
【００２２】
例えば、上述した実施形態では枕１の表面１ａ側または裏面１ｂ側に反転可能なカバー１４を設けたが、カバー１４は必ずしも設けなくてもよい。また、表面１ａと裏面１ｂの両面にカバー１４を取り付けてもよい。
また、各面における各袋部の硬さを異ならせるために柔らかい方にパイプ１１を、堅い方に粒綿１２を充填したが、これらは各袋部に混合して充填して充填割合の比で硬さの違いを出してもよい。枕１の片面側に同一の充填材だけを充填しなくてもよい。また、各袋部に充填する充填材はパイプ１１と粒綿１２に限定されることなく、各袋部の硬さを変更できれば他のプラスチック材やもみ殻等、適宜の充填剤を採用できる。
【００２３】
また、上述の実施形態による枕１は表裏面で硬さを異ならせ、各面で高さの異なる３つの袋部３，４，５，袋部７，８，９を設けたが、本発明は各面に袋部が３つでなくてもよく、４つ以上でもよい。その際、両端側に大型の袋部３，７と中型の袋部５，９を配列し、その間の中央に小型の袋部４，８を２本またはそれ以上設置してもよい。２本の小型の袋部４，８は同じ高さでもよいし異なる高さでもよい。
このような構成を採用すれば、大型の袋部３，７または中型の袋部５，９に使用者の頸椎を載せて小型の袋部４，８の部分に後頭部を着座させることができて、より安定して安眠できる。
【符号の説明】
【００２４】
１  枕
１ａ  表面
１ｂ  裏面
２  仕切り用シート
３、７  大型の袋部
４，８  小型の袋部
５，９  中型の袋部
１１  パイプ
１２  粒綿
１４  カバー
１６  パッド
【図１】
2018011722.tif 000003
【図２】
2018011722.tif 000004
【図３】
2018011722.tif 000005
【図４】
2018011722.tif 000006
【図５】
2018011722.tif 000007
【図６】
2018011722.tif 000008
【図７】
2018011722.tif 000009